(57)【要約】【課題】本発明は、簡単な構成により、ユーザが任意の用紙サイズを容易に設定できるようにした、用紙サイズ設定装置を提供する。【解決手段】少なくとも一つの給紙カセットに収容された印刷用紙を給送して印刷を行なう印刷装置における各給紙カセットの印刷用紙の用紙サイズを設定するための装置であって、複数の用紙サイズ設定を選択する選択手段と、上記選択手段により選択される各用紙サイズ設定のうち、少なくとも一つの用紙サイズ設定（第一の用紙サイズ設定）が、ユーザによる任意の用紙サイズに関連付けられているように、用紙サイズ設定装置を構成する。【選択図】      図２
2004210443.tif 000002
【特許請求の範囲】
【請求項１】
少なくとも一つの給紙カセットに収容された印刷用紙を給送して印刷を行なう印刷装置における各給紙カセットの印刷用紙の用紙サイズを設定するための装置であって、
複数の用紙サイズ設定を選択する選択手段と、
上記選択手段により選択される各用紙サイズ設定のうち、少なくとも一つの用紙サイズ設定（第一の用紙サイズ設定）が、ユーザによる任意の用紙サイズに関連付けられている
ことを特徴とする用紙サイズ設定装置。
【請求項２】
上記選択手段が、ダイヤル式選択手段である
ことを特徴とする請求項１に記載の用紙サイズ設定装置。
【請求項３】
上記選択手段が、外部に露出した表面に備えられている
ことを特徴とする請求項１または２に記載の用紙サイズ設定装置。
【請求項４】
上記ユーザによる任意の用紙サイズを設定するためのユーザ設定手段を備えている
ことを特徴とする請求項１〜３のいずれかに記載の用紙サイズ設定装置。
【請求項５】
上記ユーザ設定手段が、外部に露出した表面に備えられている
ことを特徴とする請求項４に記載の用紙サイズ設定装置。
【請求項６】
上記印刷装置がホストコンピュータとの間に接続インタフェースを備えており、
上記ユーザ設定手段が、ホストコンピュータ側でソフトウェアにより構成されている
ことを特徴とする請求項４に記載の用紙サイズ設定装置。
【請求項７】
上記選択手段による用紙サイズ設定のうち、上記第一の用紙サイズ設定を除く他の用紙サイズ設定（第二の用紙サイズ設定）が、固定用紙サイズに関連付けられている
ことを特徴とする請求項１から６のいずれかに記載の用紙サイズ設定装置。
【請求項８】
給紙カセットに収容される用紙サイズを自動的に検知する用紙サイズ検知手段を備えており、
この用紙サイズ検知手段が、上記選択手段が第一の用紙サイズ設定を選択したとき、無効化される
ことを特徴とする請求項７に記載の用紙サイズ設定装置。
【請求項９】
選択手段により選択された用紙サイズ設定に対応する用紙サイズを表示するための表示手段を備えている
ことを特徴とする請求項１〜８のいずれかに記載の用紙サイズ設定装置。
【発明の詳細な説明】
【０００１】
【発明の属する技術分野】
本発明は、印刷装置における用紙サイズ設定装置に関し、特にユーザ設定により任意の用紙サイズを設定できるようにした用紙サイズ設定の技術に関する。
【０００２】
【従来の技術】
従来、例えばプリンタ，ファクシミリ装置，コピー機，スキャナ装置，所謂デジタル複合機等の印刷用紙に印刷を行なうようにした機器（以下、印刷装置という）においては、印刷のために給紙すべき印刷用紙の用紙サイズのセンサによる自動検知機能を備えるものとして、例えば給紙フィーダにおける用紙サイズ自動検知機能（例えば、特許文献１参照。）や、給紙カセットにおける用紙サイズ自動検知機能（例えば、特許文献２及び特許文献３参照。）がある。
【０００３】
また、センサを使用しない簡易な用紙サイズ設定機能を備えるものとして、ダイヤルによる設定機能（例えば、特許文献４及び特許文献５参照。）がある。
さらに、検知した用紙サイズを給紙の際の用紙選択に利用するものが知られている（例えば、特許文献６参照。）。
【０００４】
【特許文献１】
特開２０００−０８５１９９号公報（第２−３頁，第１図及び第３図）
【特許文献２】
特開２０００−０９５３５２号公報
【特許文献３】
特開平１１−３４９１８５号公報
【特許文献４】
特開２００２−１５６８７５号公報
【特許文献５】
実開平０５−０２４６３０号公報
【特許文献６】
特開平０９−２６７５３７号公報
【０００５】
【発明が解決しようとする課題】
しかしながら、これらの特許文献に開示されている各機能においては、以下のような問題があった。
すなわち、特許文献１による用紙サイズ自動検知機能は、給紙フィーダから給紙される用紙をラインセンサにより検出することにより、特に用紙の斜行や用紙幅を検知して、用紙の被記録領域内に収まるように補正しながら印刷を行なうようにしたものである。
したがって、例えば複数種類の用紙サイズ、例えばＪＩＳのＡ４版，Ｂ５版等の規定の用紙サイズを検出するためには構成されておらず、特に長さが異なる用紙の場合には、対応することができない。
【０００６】
特許文献２による用紙サイズ自動検知機能は、給紙カセット内に収容された用紙の側縁に対して用紙ガイドを合わせることにより、用紙ガイドの位置に基づいて、用紙ガイドに接続されたひも部材の張力を測定することにより、用紙サイズを検出するようになっている。
したがって、用紙サイズは、ひも部材の張力を測定できる範囲に限定されてしまい、任意のサイズの用紙を使用することは困難であった。
【０００７】
特許文献３による用紙サイズ自動検知機能は、用紙の給紙路中に設けられた検知センサを使用して、用紙の通過時間を測定し、用紙の長さを計算するようにしている。
したがって、用紙サイズとして、長さを検出することは可能であるが、用紙幅を検出することはできない。
【０００８】
また、特許文献４による用紙サイズ設計機能は、ロータリスイッチの回転軸に取り付けられた設定ダイヤルを使用して、ロータリスイッチの各接点部に前もって割り当てられた規定の用紙サイズを選択し、設定するようになっている。
したがって、前もって設定されている規定の用紙サイズのみを選択することができ、ユーザによる任意の用紙サイズを設定することはできない。
【０００９】
特許文献５による用紙サイズ設定機能は、給紙カセット内に収容された用紙の側縁に対して用紙規制板を当接するように移動させ、その移動量に連動して、そのときの用紙サイズに対応した表示を、表示窓内に露出させるようになっている。
したがって、表示窓内に表示できる用紙サイズが限定されてしまい、ユーザによる任意の用紙サイズを設定することはできない。
【００１０】
特許文献６による印刷システムは、用紙サイズ情報取得手段により取得した用紙サイズ情報に基づいて、印刷動作時の給紙を行なう際に、印刷すべきデータに対応した用紙サイズを判定して、当該用紙サイズの用紙を給紙して、印刷を行なうようになっている。
したがって、用紙サイズ情報取得手段としては、前述した用紙サイズ設定機能等を利用して、用紙サイズ情報を取得するようになっている。
【００１１】
このようにして、従来の技術においては、用紙サイズを検知するためには、用紙フィーダや給紙カセットから給紙される給紙路中にて検知センサを使用したり、給紙カセット毎に検知センサを使用して、用紙サイズを自動的に検知したり、あるいは設定ダイヤルにより用紙サイズを手作業で設定するようにしている。
そして、使用できる用紙サイズは、それぞれ前もって設定された規格の用紙サイズ、例えばＪＩＳ規格のＡ５版，Ａ４版，Ａ３版，Ｂ５版，Ｂ４版や所謂レターサイズ，リーガルサイズ等に限定されてしまい、ユーザが任意の用紙サイズを設定することは困難であった。
【００１２】
本発明は、上記の問題を解決すべくなされたものであり、簡単な構成により、ユーザが任意の用紙サイズを容易に設定できるようにした、用紙サイズ設定装置の提供を目的とする。
【００１３】
この目的を達成するため、本発明の請求項１記載の用紙サイズ設定装置は、少なくとも一つの給紙カセットに収容された印刷用紙を給送して印刷を行なう印刷装置における各給紙カセットの印刷用紙の用紙サイズを設定するための装置であって、複数の用紙サイズ設定を選択する選択手段と、上記選択手段により選択される各用紙サイズ設定のうち、少なくとも一つの用紙サイズ設定（第一の用紙サイズ設定）が、ユーザによる任意の用紙サイズに関連付けられている構成としてある。
【００１４】
用紙サイズ設定装置をこのような構成とすると、ユーザは、選択手段により第一の用紙サイズ設定を切換え選択することによって、ユーザによる任意の用紙サイズに関連付けられた第一の用紙サイズ設定が選択される。これにより、この選択された第一の用紙サイズ設定に基づいて、当該給紙カセットから印刷用紙が給紙され、印刷装置が印刷を行なうことにより、所望の任意の用紙サイズの印刷用紙に印刷を行なうことができる。
【００１５】
その際、ユーザは、選択手段を切換え操作して、第一の用紙サイズ設定を選択するだけの操作でよいことから、煩わしい操作が不要となり、簡単な操作により所望の用紙サイズの印刷用紙を使用して印刷を行なうことが可能になる。
また、給紙カセットに収容された印刷用紙の用紙サイズを検知するための検知手段が不要であることから、簡単な構成により、低コストで用紙サイズ設定装置を構成することが可能になる。
【００１６】
このようにして、本発明によれば、給紙カセットに収容された印刷用紙の用紙サイズを検知することなく、選択手段により複数の用紙サイズ設定から、所望の用紙サイズに関連付けられた第一の用紙サイズ設定を選択することにより、各種規格による用紙サイズとは異なる任意の用紙サイズの印刷用紙を使用して、印刷装置により印刷を行なうことができる。
したがって、従来のような規格サイズの定型とは異なる所謂不定型の印刷用紙による印刷が可能になることから、多種多様な用紙サイズの印刷用紙を使用して印刷を行なうことができる。
【００１７】
また、請求項２記載の用紙サイズ設定装置は、上記選択手段が、ダイヤル式選択手段である構成としてある。
用紙サイズ設定装置をこのような構成とすると、ユーザは、ダイヤル式選択手段のダイヤルを手で回すだけの極めて簡単な操作によって、選択手段により所望の用紙サイズ設定を選択することができる。
【００１８】
また、請求項３記載の用紙サイズ設定装置は、上記選択手段が、外部に露出した表面に備えられている構成としてある。
用紙サイズ設定装置をこのような構成とすると、ユーザは、外部に露出した表面に備えられた選択手段を操作することにより、容易に選択手段により所望の用紙サイズ設定を選択することができる。
【００１９】
また、請求項４記載の用紙サイズ設定装置は、上記ユーザによる任意の用紙サイズを設定するためのユーザ設定手段を備えている構成としてある。
用紙サイズ設定装置をこのような構成とすると、選択手段による第一の用紙サイズ設定に関して、ユーザ設定手段を使用して、用紙サイズすなわち用紙幅，用紙長を任意の値に設定することができる。
【００２０】
また、請求項５記載の用紙サイズ設定装置は、上記ユーザ設定手段が、外部に露出した表面に備えられている構成としてある。
用紙サイズ設定装置をこのような構成とすると、ユーザは、外部に露出した表面に備えられたユーザ設定手段を操作することにより、容易に用紙サイズを任意の値に設定することができる。
【００２１】
また、請求項６記載の用紙サイズ設定装置は、上記印刷装置がホストコンピュータとの間に接続インタフェースを備えており、上記ユーザ設定手段が、ホストコンピュータ側でソフトウェアにより構成されている構成としてある。
用紙サイズ設定装置をこのような構成とすると、ユーザは、ホストコンピュータ上にて、当該ソフトウェア、例えば印刷用ユーティリティソフトや印刷用ドライバによるユーザ設定手段の画面表示を見ながら、用紙サイズすなわち用紙幅，用紙長を入力することにより、用紙サイズを任意の値に設定することができる。
【００２２】
また、請求項７記載の用紙サイズ設定装置は、上記選択手段による用紙サイズ設定のうち、上記第一の用紙サイズ設定を除く他の用紙サイズ設定（第二の用紙サイズ設定）が、固定用紙サイズに関連付けられている構成としてある。
用紙サイズ設定装置をこのような構成とすると、ユーザは、選択手段により第二の用紙サイズ設定を切換え選択することによって、例えば各種規格による用紙サイズ、例えばＪＩＳのＡ５，Ａ４，Ｂ５等の固定用紙サイズに関連付けられた第二の用紙サイズ設定が選択される。これにより、前述したように第一の用紙サイズ設定に基づいて、任意の用紙サイズの印刷用紙に印刷を行なうことができると共に、第二の用紙サイズ設定に基づいて、印刷装置が印刷を行なうことにより、各種固定用紙サイズの印刷用紙に印刷を行なうことができる。
【００２３】
また、請求項８記載の用紙サイズ設定装置は、給紙カセットに収容される用紙サイズを自動的に検知する用紙サイズ検知手段を備えており、この用紙サイズ検知手段が、上記選択手段が第一の用紙サイズ設定を選択したとき、無効化される構成としてある。
用紙サイズ設定装置をこのような構成とすると、選択手段が第二の用紙サイズ設定を選択したときには、用紙サイズ検知手段が有効であって、給紙カセットに収容された印刷用紙の用紙サイズが用紙サイズ検知手段によって自動的に検知されるが、選択手段が第一の用紙サイズ設定を選択したときには、用紙サイズ検知手段が無効化されることにより、各給紙カセットに収容された印刷用紙の用紙サイズは自動的に検知されず、例えばユーザ設定手段を使用してユーザにより設定された任意の用紙サイズに基づいて、印刷装置における印刷が行なわれる。
【００２４】
また、請求項９記載の用紙サイズ設定装置は、選択手段により選択された用紙サイズ設定に対応する用紙サイズを表示するための表示手段を備えている構成としてある。
用紙サイズ設定装置をこのような構成とすると、ユーザは、この表示手段に表示される用紙サイズを視認することによって、現在設定されている用紙サイズを容易に確認することができる。
【００２５】
【発明の実施の形態】
以下、本発明の用紙サイズ設定装置の実施の形態について、図１〜図８を参照して説明する。
図１は、本発明による用紙サイズ設定装置の一実施形態を組み込んだプリンタの構成を示している。
図１に示すように、プリンタ１０は、プリンタ本体１００と、複数の給紙カセット２００と、用紙サイズ設定装置３００と、を含んでいる。
【００２６】
上記プリンタ本体１００は、例えばレーザ式プリンタとして構成されており、公知の構成であって、接続インタフェース（図示せず）を介して、ホストコンピュータ（図示せず）と接続されている。
【００２７】
上記給紙カセット２００は、プリンタ本体１００の下方にて、互いに積み重ねられた複数個、図示の場合５個の給紙カセット２１０，２２０，２３０，２４０，２５０（カセット１，２，３，４，５）を含んでいる。
ここで、上記各給紙カセット２１０〜２５０は、例えば上方から順に、Ａ４版，レターサイズ（ＬＴ），その他（ＯＴＨＥＲ），Ｂ４版，Ｂ５版の用紙サイズの印刷用紙が収容されている。
【００２８】
上記用紙サイズ設定装置３００は、各給紙カセット２１０〜２５０にそれぞれ設けられた個々の用紙サイズ設定装置３１０，３２０，３３０，３４０，３５０を含んでいる。
ここで、各用紙サイズ設定装置３１０〜３５０は、互いに同じ構成であるので、以下に用紙サイズ設定装置３１０について詳細に説明する。
【００２９】
用紙サイズ設定装置３１０は、図２に示すように構成されている。
図２において、用紙サイズ設定装置３１０は、給紙カセット２１０（カセット１）内に配置されており、用紙サイズ検知手段３１１と、選択手段３１２と、ユーザ設定手段３１３と、から構成されている。
【００３０】
上記用紙サイズ検知手段３１１は、従来の給紙カセットに備えられているものと同じ構成であり、給紙カセット２１０（カセット１）内に収容されている印刷用紙の用紙サイズを検知して、検知した用紙サイズに関する情報（用紙サイズ情報）を出力するようになっている。
例えば、給紙カセット２１０内に収容された印刷用紙の用紙幅及び用紙長を検出したり、あるいは用紙幅のみを検出して、その用紙幅から規格に対応する用紙サイズを検知するようになっている。
【００３１】
上記選択手段３１２は、ユーザが当該給紙カセット２１０に関する用紙サイズ設定を切換え選択するものであり、図示の場合、ダイヤル式に構成されている。
すなわち、上記選択手段３１２は、図３に示すように、ダイヤル３１４と、ダイヤル３１４に対向して配置されたスイッチ装置３１５と、制御部３１６と、から構成されている。
【００３２】
上記ダイヤル３１４は、図４に示すように、全体がほぼ円筒状に形成されており、中心軸の周りに回動可能に支持されていると共に、図示の場合、その周面に情報から順次に、表示部３１４ａ，三つの設定溝３１４ｂ，３１４ｃ，３１４ｄを備えている。
【００３３】
上記表示部３１４ａは、その周面に設定可能な各用紙サイズに関する表示、例えば図５に示すように、「Ａ５」，「Ａ４」，「Ａ３」，「Ｂ５」，「Ｂ４」，「ＬＴ」，「ＯＴＨＥＲ」の７種類の表示を備えている。
ここで、第一の用紙サイズ設定としての「ＯＴＨＥＲ」は、不定型用紙サイズ、例えばＡ４版，Ａ３版，Ａ５版，Ｂ４版，Ｂ５版，ＬＧＲ，ＬＧＬ，ＬＴ，ＩｎｔｅｒｎａｌＣ５，Ｅｘｅｃｕｔｉｖｅ，ＯｆｆｉｃｉｏＩＩ，Ｆｏｌｉｏ等の各種規格の用紙サイズやＣｕｓｔｏｍサイズに対応するものである。
また、第二の用紙サイズ設定としての「Ａ５」，「Ａ４」，「Ａ３」，「Ｂ５」，「Ｂ４」，「ＬＴ」は、それぞれ定型用紙サイズ、すなわちＡ５版，Ａ４版，Ａ３版，Ｂ５版，Ｂ４版及びレターサイズに対応するものである。
そして、この表示は、給紙カセット２１０に設けられた表示窓内に選択された用紙サイズ設定に対応する用紙サイズが位置して、観察され得るようになっている。
【００３４】
上記設定溝３１４ｂ，３１４ｃ，３１４ｄは、表示部３１４ａの各表示に対して軸方向に整列して、適宜に選択的に設けられている。
【００３５】
これに対して、上記スイッチ装置３１５は、ダイヤル３１４の周面に対向して、軸方向に沿って各設定溝３１４ｂ，３１４ｃ，３１４ｄに対応して配置された三つのスイッチ３１５ａ，３１５ｂ，３１５ｃを含んでいる。
各スイッチ３１５ａ，３１５ｂ，３１５ｃは、図６に示すように、互いに並列に接続されると共に、一側の接点が共通の−端子に接続されており、それぞれのオンオフ状態が各出力端子Ａ，Ｂ，Ｃからの出力電圧により検出されるようになっている。
【００３６】
これにより、各スイッチ３１５ａ，３１５ｂ，３１５ｃは、設定溝３１４ｂ，３１４ｃ，３１４ｄがないとき、ダイヤル３１４の周面によって押動されてオンまたはオフにされ、また設定溝３１４ｂ，３１４ｃ，３１４ｄがあるときには、ダイヤル３１４の周面から解放されることによりオフまたはオンにされる。
したがって、三つのスイッチ３１５ａ，３１５ｂ，３１５ｃのオンオフの組合せ、すなわち設定溝３１４ｂ，３１４ｃ，３１４ｄの配置に基づいて、７種類の異なる種類、例えば「Ａ５」，「Ａ４」，「Ａ３」，「Ｂ５」，「Ｂ４」，「ＬＴ」，「ＯＴＨＥＲ」に対応した用紙サイズ設定信号を出力することができるようになっている。
【００３７】
上記制御部３１６は、上記用紙サイズ検知手段３１１からの用紙サイズ情報と、選択手段３１２で設定された用紙サイズ設定に対応する用紙サイズ設定信号が入力されており、用紙サイズ設定信号が「ＯＴＨＥＲ」以外のときには、用紙サイズ情報による用紙サイズが用紙サイズ設定信号による用紙サイズと一致しているときには、用紙サイズ情報をそのまま出力し、一致していないときにはエラー信号を出力するようになっている。
また、上記制御部３１６は、用紙サイズ設定信号が「ＯＴＨＥＲ」のときには、用紙サイズ情報を手段して、用紙サイズ検知手段を無効化し、ユーザ設定手段３１３による用紙サイズ設定信号を出力するようになっている。
【００３８】
さらに、上記ユーザ設定手段３１３は、図示の場合、プリンタ本体１００の操作パネル１１０における表示部１２０内の画像表示により構成されており、上記選択手段３１２で「ＯＴＨＥＲ」が選定されているとき有効となる。
そして、ユーザ設定手段３１３は、操作パネル１１０の操作部を操作することにより、例えば図７に示すように、用紙設定（符号Ａ）の状態から、給紙カセット２１０（カセット１）を選択すると、符号Ｂで示すように、「カセット１の用紙サイズ」に関する表示となり、併せてサイズ表記、すなわち現在設定されている用紙サイズ例えば「ＯｆｆｉｃｉｏＩＩ」が表示される。
【００３９】
続いて、符号Ｃで示すように、サイズ表記の前に「？」が点滅表示され、操作パネルの操作により、例えば上下キーの押下により、「Ａ４」，「Ａ３」，「Ａ５」，「Ｂ４」，「Ｂ５」，「ＬＧＲ」，「ＬＧＬ」，「ＬＴ」，「ＩｎｔｅｒｎａｌＣ５」，「Ｅｘｅｃｕｔｉｖｅ」，「ＯｆｆｉｃｉｏＩＩ」，「Ｆｏｌｉｏ」等の各種規格の用紙サイズや「Ｃｕｓｔｏｍ」サイズの選択を行なうことができるようになっている。
【００４０】
そして、「Ｃｕｓｔｏｍ」サイズを選択すると、符号Ｄで示すように、ユーザ設定のための単位が表示され、例えば「ｍｍ」，「インチ」等の用紙サイズの単位の設定が行なわれるようになっている。
次に、符号Ｅで示すように、ユーザ設定のための用紙幅（Ｘ値）が表示され、用紙幅ＸＸＸ（ｍｍ）の設定が行なわれるようになっている。
続いて、符号Ｆで示すように、ユーザ設定のための用紙長（Ｙ値）が表示され、用紙長ＹＹＹ（ｍｍ）の設定が行なわれるようになっている。
【００４１】
このようにして、プリンタ１０の各給紙カセット２１０〜２５０のそれぞれについて、用紙サイズ設定装置３１０〜３５０により用紙サイズ設定を行なうことにより、例えば図１及び図８に示すように、各給紙カセット２１０〜２５０は、それぞれ「Ａ４」，「ＬＴ」，「ＯＴＨＥＲ」，「Ａ３」，「Ｂ４」の用紙サイズ設定が選択され、その表示が給紙カセット２１０〜２５０の表示窓内に表示される。
ここで、給紙カセット２３０（カセット３）については、用紙サイズ設定が「ＯＴＨＥＲ」に設定されていることから、さらにユーザ設定手段３１３により、例えば「Ｃｕｓｔｏｍ」サイズが選択され、用紙幅（Ｘ）及び用紙長（Ｙ）が、それぞれｍｍ単位で設定される。
【００４２】
したがって、プリンタ１０においては、各給紙カセット２１０〜２５０にて、用紙サイズ設定がダイヤル式の選択手段３１２により選択され、特に用紙サイズ設定が「ＯＴＨＥＲ」に選択されたときには、さらにユーザ設定手段３１３により、Ｃｕｓｔｏｍ」を選択することによって、任意の用紙サイズすなわち用紙幅（Ｘ）及び用紙長（Ｙ）を設定することができる。
これにより、各給紙カセット２１０〜２５０に印刷用紙の用紙サイズを検知するためのセンサがなくても、各給紙カセット２１０〜２５０の用紙サイズを設定することが可能であると共に、ユーザが所望する任意の用紙サイズの印刷用紙を使用してプリンタ１０により印刷を行なうことが可能になる。
【００４３】
このようにして、本実施形態のプリンタ１０によれば、用紙サイズ設定装置３００によって、給紙カセット２００の個々の給紙カセット２１０〜２５０毎に、センサを使用せずに、用紙サイズを選択することができると共に、任意の用紙サイズを設定することが可能になり、多種多様な印刷用紙に印刷を行なうことが可能になる。
その際、各給紙カセット２１０〜２５０毎に用紙サイズを検知するためのセンサがなくてもよいので、簡単な構成により、コストを低減することができると共に、印刷すべき印刷用紙の用紙サイズを正確に設定することができるので、プリンタ１０は、設定された用紙サイズに基づいて、印刷用紙の給紙を行なうことができる。したがって、当該印刷用紙の給紙タイミングを正確に制御することができ、最適な給紙速度及びタイミングで給紙を行なうことができるので、給紙途中での印刷用紙の詰まり等を防止することができ、印刷用紙の浪費を排除することができる。
【００４４】
上述した実施形態においては、ユーザ設定手段３１３が、プリンタ１０のプリンタ本体１００の表示部を含む操作パネルにより構成されているが、これに限らず、ホストコンピュータ上にて印刷用ユーティリティソフトや印刷用ドライバソフト等のソフトウェアにより構成されていてもよい。
また、上述した実施形態においては、選択手段３１２は、ダイヤル３１４及びスイッチ装置３１５により構成されているが、これに限らず、ダイヤル３１４の回動に伴って、複数種類の用紙サイズ設定の選択を行なうことができれば、他の任意の機械的，電気的あるいは電子的な構成、例えばダイヤルとロータリスイッチによる選択手段が可能である。
さらに、上述した実施形態においては、印刷装置としてプリンタ１０が使用されているが、これに限らず、印刷用紙に対する印刷を行なうものであれば、他の種類の印刷装置、例えばファクシミリ装置，コピー機，スキャナ装置，所謂デジタル複合機等が使用されてもよいことは明らかである。
【００４５】
【発明の効果】
以上のように、本発明によれば、給紙カセットに収容された印刷用紙の用紙サイズを検知することなく、選択手段により複数の用紙サイズ設定から、所望の用紙サイズに関連付けられた第一の用紙サイズ設定を選択することにより、各種規格による用紙サイズとは異なる任意の用紙サイズの印刷用紙を使用して、印刷装置により印刷を行なうことができる。
【００４６】
したがって、従来のような規格サイズの定型とは異なる所謂不定型の印刷用紙による印刷が可能になることから、多種多様な用紙サイズの印刷用紙を使用して印刷を行なうことができる。
このようにして、本発明によれば、簡単な構成により、ユーザが任意の用紙サイズを容易に設定できるようにした、極めて優れた用紙サイズ設定装置を提供することができる。
【図面の簡単な説明】
【図１】本発明による用紙サイズ設定装置の一実施形態を組み込んだプリンタの構成を示す概略正面図である。
【図２】図１のプリンタにおける用紙サイズ設定装置の構成を示すブロック図である。
【図３】図２の用紙サイズ設定装置における選択手段の構成を示すブロック図である。
【図４】図３の選択手段におけるダイヤル及びスイッチの構成を示す概略斜視図である。
【図５】図３の選択手段におけるダイヤルにより選択されるべき用紙サイズ設定の種類を示す説明図である。
【図６】図４のスイッチの電気的構成を示す回路図である。
【図７】図２の用紙サイズ設定装置におけるユーザ設定手段により選択される用紙サイズの種類を示す説明図である。
【図８】図２の用紙サイズ設定装置により設定された図１のプリンタにおける各給紙カセットの用紙サイズ設定状態を示す説明図である。
【符号の説明】
１０  プリンタ
１００  プリンタ本体
１１０  操作パネル
１２０  表示部
２００  給紙カセット
２１０  給紙カセット（カセット１）
２２０  給紙カセット（カセット２）
２３０  給紙カセット（カセット３）
２４０  給紙カセット（カセット４）
２５０  給紙カセット（カセット５）
３００  用紙サイズ設定装置
３１０，３２０，３３０，３４０，３５０  用紙サイズ設定装置
３１１  用紙サイズ検知手段
３１２  選択手段
３１３  ユーザ設定手段
３１４  ダイヤル
３１４ａ  表示部
３１４ｂ，３１４ｃ，３１４ｄ  設定溝
３１５  スイッチ装置
３１５ａ，３１５ｂ，３１５ｃ  スイッチ
３１６  制御部
【図１】
2004210443.tif 000003
【図２】
2004210443.tif 000004
【図３】
2004210443.tif 000005
【図４】
2004210443.tif 000006
【図５】
2004210443.tif 000007
【図６】
2004210443.tif 000008
【図７】
2004210443.tif 000009
【図８】
2004210443.tif 000010